(57)【要約】【課題】３Ｄ液晶パネル用バリアパネルを映像パネルの１ピクセル当りＭ×Ｎ個に分け、該Ｍ×Ｎ個のバリア領域の明るさを調節することによって、多視点無眼鏡３Ｄ映像ディスプレイを提供する。【解決手段】多数のピクセルを有する映像パネルに対応して配置され、前記映像パネルの各ピクセル当りＭ×Ｎ個のバリア領域を成すように形成され、各バリア領域別に明るさが調節されて前記映像パネルから立体映像用イメージが表示されるようにする。【選択図】図３
2013080224.tif 000002
【特許請求の範囲】
【請求項１】
多数のピクセルを有する映像パネルに対応して配置され、前記映像パネルの各ピクセル当りＭ×Ｎ個のバリア領域を成すように形成され、各バリア領域別に明るさが調節されて前記映像パネルから立体映像用イメージが表示されるようにするバリアパネル。
【請求項２】
前記バリア領域の明るさは、オン、オフ及びオンとオフとの間のうちの少なくとも一つの中間明るさ段階を有して制御される請求項１に記載のバリアパネル。
【請求項３】
前記Ｍ×Ｎ個のバリア領域での行の数Ｍ及び列の数Ｎは、各々１以上である請求項１に記載のバリアパネル。
【請求項４】
前記Ｍ×Ｎ個のバリア領域での列の数Ｎは、２以上である請求項３に記載のバリアパネル。
【請求項５】
多数のピクセルを有し、立体映像用イメージを表示する映像パネルと、
前記映像パネルの前面または背面に対応して配置され、各ピクセル当りＭ×Ｎ個のバリア領域を成すように形成され、各バリア領域別に明るさが調節されるバリアパネルと、
前記映像パネルから立体映像が表示されるように、前記各バリア領域別に明るさを制御する制御部
とを含む立体映像表示装置。
【請求項６】
前記バリアパネルは、前記制御部によって、オン、オフ及びオンとオフとの間のうちの少なくとも一つの中間段階を有して制御されて、前記バリア領域の明るさが少なくとも３段階以上に調節される請求項５に記載の立体映像表示装置。
【請求項７】
前記バリアパネルは、行の数Ｍ及び列の数Ｎは、各々１以上であり、各ピクセル当りＭ×Ｎ個のバリア領域が形成される請求項５に記載の立体映像表示装置。
【請求項８】
前記行の数Ｍは１以上で、前記列の数Ｎは２以上である請求項７に記載の立体映像表示装置。
【請求項９】
観察者領域の映像を獲得して前記観察者の観察位置情報を算出するトラッキングシステムを、さらに含み、
前記制御部は、前記観察者の観察位置に前記映像パネルの前記立体映像が露出するように、前記観察位置情報に応じて前記バリアパネルの各バリア領域の明るさを制御する請求項５〜８のうちのいずれか一つに記載の立体映像表示装置。
【請求項１０】
前記トラッキングシステムは、
前記観察者領域の映像を獲得するカメラモジュールと、
前記映像を用いて前記観察位置情報として前記観察者の両眼の位置及び距離を算出するトラッキング部と、を含み、
前記制御部は、前記両眼の位置及び距離の情報から前記バリアパネルの各バリア領域の明るさを制御するための制御値を獲得し、該制御値によって各バリア領域の明るさを制御する請求項９に記載の立体映像表示装置。
【請求項１１】
観察者の位置情報によって、多数ピクセルを有する映像パネルの各ピクセル当りＭ×Ｎ個のバリア領域が形成されるように前記映像パネルに対応して配置されたバリアパネルの各バリア領域別に明るさを調節して、前記映像パネルから立体映像用イメージが表示されるようにする立体映像表示方法。
【請求項１２】
観察者領域の映像を獲得して該観察者の観察位置情報を算出する位置トラッキングステップと、
前記観察位置情報によって、前記映像パネルの前面または背面に対応して配置された前記バリアパネルの各バリア領域別に明るさを調節して前記観察者に前記映像パネルの立体映像が表示されるように制御するバリア制御ステップと
を含む請求項１１に記載の立体映像表示方法。
【請求項１３】
前記バリア制御ステップにて、前記バリア領域の明るさは、オン、オフ及びオンとオフとの間のうちの少なくとも一つの中間段階を有して制御されて、少なくとも３段階以上に調節される請求項１２に記載の立体映像表示方法。
【請求項１４】
前記位置トラッキングステップは、
前記観察者領域の映像を獲得するステップと、
前記映像を用いて前記観察位置情報として前記観察者の両眼の位置及び距離を獲得するステップと、を含み、
前記バリア制御ステップは、
前記両眼の位置及び距離の情報から前記バリアパネルの各バリア領域の明るさを制御するための制御値を獲得するステップと、
該制御値によって前記両眼に前記映像パネルの立体映像用イメージが露出するように前記各バリア領域の明るさを制御するステップ
とを含む請求項１２に記載の立体映像表示方法。
【請求項１５】
前記バリアパネルは、行の数Ｍ及び列の数Ｎは、各々１以上であり、各ピクセル当りＭ×Ｎ個のバリア領域が形成される請求項１１〜１４のうちのいずれか一つに記載の立体映像表示方法。
【発明の詳細な説明】
【技術分野】
【０００１】
本発明は、バリアパネル並びに立体映像表示装置及びその方法に関し、特に、多数のバリアの各領域の明るさが調節される、バリアパネル並びに立体映像表示装置及びその方法に関する。
【背景技術】
【０００２】
３Ｄ映像処理の市場とは異なり、３Ｄディスプレイ市場は、発展が遅く進められている。ディスプレイ市場の発展は、特に、観察者の情報を排除したまま、ただ映像の出力のみに同期を合わせて動作することに対して行われている。その主な理由の一つは、観察者の視点に応じる３Ｄ映像を再現しにくいという点である。
例えば、現在の３Ｄ携帯電話は、３Ｄ映像ディスプレイのため、固定バリア方式の無眼鏡式３Ｄ液品パネルを使っている。この方式の最大短所は、同じ映像でも観察者と映像パネルとの間の距離や視聴角度が変われば、良好に表示された３Ｄ映像も曇るか消えるなどの３Ｄ映像の変化が生ずるという点である。映像パネルから約３０ｃｍの距離をおいて前方正面で３Ｄ映像を視聴する人と、３０ｃｍの距離をおいて前方３０度の角度で視聴する人とには、各々異なるバリアを用いて映像を提供しなければならない。しかしながら、従来には、バリアが固定形なので、正面にいる人のみが良い品質の３Ｄを視聴することができるという短所がある。
【先行技術文献】
【特許文献】
【０００３】
【特許文献１】韓国特許第１０−０７８６８６２号
【特許文献２】韓国特許出願公開第１０−２０１１−０００５４９４号
【発明の概要】
【発明が解決しようとする課題】
【０００４】
従来の方式では、液晶パネル上にバリアフィルムを固定させた固定バリア方式を使っている。正面の観察者を主としてバリアをオン／オフするため、視点角度が少しでも外すと（正面を基準として３度以上）、いくら良い３Ｄ映像でも曇るように見えるか見えないことがある。
【０００５】
本発明は上記の問題点に鑑みて成されたものであって、３Ｄ液晶パネル用バリアパネルを映像パネルの１ピクセル当りＭ×Ｎ個に分け、該Ｍ×Ｎ個のバリア領域の明るさを調節することによって、多視点無眼鏡３Ｄ映像ディスプレイを提供することに、その目的がある。
【課題を解決するための手段】
【０００６】
上記目的を解決するために、本発明の第１の実施形態によれば、多数のピクセルを有する映像パネルに対応して配置され、該映像パネルの各ピクセル当りＭ×Ｎ個のバリア領域を成すように形成され、各バリア領域別に明るさを調節して該映像パネルから立体映像用イメージが表示されるようにするバリアパネルが提供される。
【０００７】
一実施形態によれば、前記バリア領域の明るさは、オン、オフ及びオンとオフとの間のうちの少なくとも一つの中間明るさ段階を含むように制御される。
【０００８】
また、一実施形態によれば、前記Ｍ×Ｎ個のバリア領域での行の数Ｍ及び列の数Ｎは、各々１以上である。また、一実施形態によれば、前記Ｍ×Ｎ個のバリア領域での列の数Ｎは、２以上である。
【０００９】
また、上記目的を解決するために、本発明の第２の実施形態によれば、多数のピクセルを有し、立体映像用イメージを表示する映像パネルと、該映像パネルの前面または背面に対応して配置され、各ピクセル当りＭ×Ｎ個のバリア領域を成すように形成され、各バリア領域別に明るさが調節されるバリアパネルと、前記映像パネルから立体映像が表示されるように各バリア領域別に明るさを制御する制御部と、を含む立体映像表示装置が提供される。
【００１０】
一実施形態によれば、前記バリアパネルは、前記制御部によって、オン、オフ及びオンとオフとの間のうちの少なくとも一つの中間段階を含むように制御され、前記バリア領域の明るさが少なくとも３段階以上に調節される。
【００１１】
また、一実施形態によれば、前記バリアパネルは、行の数Ｍ及び列の数Ｎは、各々１以上であり、各ピクセル当りＭ×Ｎ個のバリア領域が形成されている。
【００１２】
また、一実施形態によれば、行の数Ｍは１以上で、列の数Ｎは２以上である。
【００１３】
また、一実施形態によれば、観察者領域の映像を獲得し、該観察者の観察位置情報を算出するトラッキングシステムをさらに含み、前記制御部は、観察者の観察位置に映像パネルの立体映像が露出するように観察位置情報によってバリアパネルの各バリア領域の明るさを制御する。
【００１４】
また、一実施形態によれば、前記トラッキングシステムは、観察者領域の映像を獲得するカメラモジュールと、映像を用いて観察位置情報として観察者の両眼の位置及び距離を算出するトラッキング部とを含み、前記制御部は、両眼の位置及び距離の情報からバリアパネルの各バリア領域の明るさを制御するための制御値を獲得し、該制御値によって各バリア領域の明るさを制御する。
【００１５】
また、上記目的を解決するために、本発明の第３の実施形態によれば、観察者の位置情報によって、多数ピクセルを有する映像パネルの各ピクセル当りＭ×Ｎ個のバリア領域が形成されるように、該映像パネルに対応して配置されたバリアパネルの各バリア領域別に明るさを調節して、該映像パネルから立体映像用イメージが表示されるようにする立体映像表示方法が提供される。
【００１６】
他の実施形態によれば、観察者領域の映像を獲得し、該観察者の観察位置情報を算出する位置トラッキングステップと、該観察位置情報によって、映像パネルの前面または背面に対応して配置されたバリアパネルの各バリア領域別に明るさを調節して、観察者に映像パネルの立体映像が表示されるように制御するバリア制御ステップとを含む。
【００１７】
また、一実施形態によれば、前記バリア制御ステップにて、バリア領域の明るさは、オン、オフ及びオンとオフとの間のうちの少なくとも一つの中間段階を含むように制御されることによって、少なくとも３段階以上に調節される。
【００１８】
また、一実施形態によれば、前記位置トラッキングステップは、観察者領域の映像を獲得するステップと、映像を用いて観察位置情報として観察者の両眼の位置及び距離を獲得するステップとを含み、前記バリア制御ステップは、両眼の位置及び距離の情報からバリアパネルの各バリア領域の明るさを制御するための制御値を獲得するステップと、該制御値によって両眼に映像パネルの立体映像用イメージが露出するように各バリア領域の明るさを制御するステップとを含む。
【００１９】
また、一実施形態によれば、前記バリアパネルは、行の数Ｍ及び列の数Ｎは、各々１以上であり、各ピクセル当りＭ×Ｎ個のバリア領域が形成されている。
【発明の効果】
【００２０】
本発明によれば、３Ｄ映像パネル用バリアパネルを映像パネルの１ピクセル当りＭ×Ｎ個に分け、該Ｍ×Ｎ個のバリア領域の明るさを調節することによって、多視点無眼鏡３Ｄ映像ディスプレイを具現することができるという効果が奏する。
【００２１】
本発明によれば、バリアパネルの制御時、観察者との距離、角度などを判断して最適の映像をディスプレイすることができる。また、観察者の視点角度及び距離によってバリアパネルを映像パネルのピクセル当りＭ×Ｎ個のバリア領域の明るさを制御することによって、３Ｄ視聴時に目まいや疲れを緩和することができるという効果が奏する。
【図面の簡単な説明】
【００２２】
【図１】本発明の一実施形態によるバリアパネルを概略的に示す模式図である。
【図２】本発明の他の実施形態による立体映像表示装置を概略的に示すブロック図である。
【図３】本発明の他の実施形態による立体映像表示装置を概略的に示すブロック図である。
【図４】本発明のさらに他の実施形態による立体映像表示方法を概略的に示す流れ図である。
【図５】本発明の他の実施形態による立体映像表示方法を概略的に示す流れ図である。
【発明を実施するための形態】
【００２３】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体に渡って同一の参照符号は同一の構成要素を示している。
【００２４】
本明細書で使われた用語は、実施形態を説明するためのものであって、本発明を制限しようとするものではない。本明細書において、単数形は文句で特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００２５】
以下、添付図面を参照して、本発明の実施形態によるバリアパネルについて詳記する。
【００２６】
図１は、本発明の一実施形態によるバリアパネルを概略的に示す模式図である。図２は、本発明の実施形態によるバリアパネルを含む映像表示装置を示すブロック図である。
【００２７】
図１に示すように、本発明の実施形態によるバリアパネル１０は、多数のピクセルを有する映像パネル３０に対応して配置される。バリアパネル１０は、映像パネル３０の前面または背面に配置される。
【００２８】
バリアパネル１０は、映像パネル３０の各ピクセル３１当りＭ×Ｎ個のバリア領域を成すように形成されている。各ピクセル当りＭ×Ｎ個のバリア領域を形成させ、各バリア領域の明るさを調節することによって、観察者の位置及び距離によってより一層正確な立体映像を観察者に表示することができる。例えば、Ｍ×Ｎ×Ｌ方式でバリア領域が制御される。Ｍ×Ｎは、各ピクセル当りバリア領域の数を表し、Ｌは各バリア領域での明るさを表す。
【００２９】
一実施形態によれば、Ｍ×Ｎ個のバリア領域での行の数Ｍ及び列の数Ｎは、各々１以上である。また、一実施形態によれば、Ｍ×Ｎ個のバリア領域での列の数Ｎは、２以上である。なお、行の数Ｍは２以上であってもよい。一実施形態によれば、行の数Ｍより列の数Ｎが大きい。両眼が左右に配置されているため、列方向へのバリア配列が多いほど良い。
【００３０】
本実施形態によるバリアパネル１０は、各ピクセル当りＭ×Ｎバリア領域別にＬ段階の明るさが調節され、Ｍ×Ｎ×Ｌ方式で制御されるため、映像パネル３０から立体映像用イメージが観察者に表示されるようにする。バリア領域の明るさが調節されれば、観察者の位置及び距離の移動が微細な場合にも、より正確に観察者に映像パネル３０の左右側イメージを伝達することができる。
【００３１】
また一実施形態によれば、バリア領域の明るさは、オン、オフ及びオンとオフとの間のうちの少なくとも一つの中間明るさ段階を有して制御される。Ｍ×Ｎ×Ｌ方式のバリア領域制御において、Ｌは３以上であってもよい。図２に示すように、バリア領域＃１、＃２、＃３は各々異なる明るさを有する。バリア領域＃１は、バリアがオフされて、映像パネル３０のイメージが観察者にも完全に表示される領域である。バリア領域＃３は、バリアがオンされて映像パネル３０のイメージ表示を遮断する領域である。バリア領域＃２は、バリア領域＃１とバリア領域＃３との中間段階であって、映像パネル３０のイメージをかすかに観察者に提供する領域である。
【００３２】
図１は、映像パネル、例えば３Ｄ  ＬＣＤの各々の１ピクセル３１に対して、Ｍ×Ｎ個のバリア領域に細く分けたことを示す。もし、視点が左側にあり、Ｍ×Ｎバリアセットの下方の映像パネル３０のピクセルが左映像を表示している場合、Ｍ×Ｎバリア領域の左側部分のいくつのバリア領域はオフされて映像を表示し、Ｍ×Ｎバリア領域の右側部分はオンされて映像を遮断する。固定バリア方式のように、ピクセル上のすべての部分をオン／オフさせるのではなく、一つの液晶パネルのピクセルでも細く分けて、視点に合わせて映像を通過／遮断するようにすることができる。
【００３３】
図２において、バリアパネルは、２次元のＭ×Ｎマトリクスのオン／オフが行われる状態で、追加で各Ｍ×Ｎマトリクスの透過率を調節して、映像が重なる部分の映像損失を最小化することができる。すなわち、Ｍ×Ｎバリア領域別にＬ段階の明るさを有するようにする。一つのバリア領域のドライバをＬビットの深みで制御する。この場合、液晶パネルの１ピクセル３１当りＭ×Ｎ個のバリア領域が２×Ｌ個の明るさを有する。すなわち、Ｌが明るさ段階ではなく明るさビット数である場合、Ｍ×Ｎ×２Ｌのマトリクス制御が可能である。
【００３４】
一実施形態によれば、バリア領域を２ビット制御信号で制御する場合、バリアのオンからオフまで４段階の明るさＬを有する。Ｍ×Ｎ×Ｌ方式で表現すると、Ｌは４である。
【００３５】
本発明の一実施形態において、バリアは、液晶パネルの各ピクセル当りＭ×Ｎ個のバリア領域を形成し、各バリア領域は、液晶セルからなる。一実施形態によれば、バリアパネル１０は、多数の液晶セルが薄膜トランジスタ（ＴＦＴ）及び貯蔵キャパシタを有する能動マトリクス型であってもよく、列電極と行電極とが交差する領域に液品セルが形成された単純マトリクス型であってもよい。従って、バリアが能動マトリクス型の場合は、一般的なＴＦＴ液晶表示装置の駆動方法に基づいて駆動され、単純マトリクス型の場合には、一般的な単純マトリクス液晶表示装置の駆動方法に基づいて駆動される。本実施形態のバリアパネル１０は、図２に示すように、映像表示装置の制御部５０による駆動信号によって、各バリア領域の液品セルが不透明セル、透明セルまたは半透明セルとしてバリア領域の明るさ形態が変更される。
【００３６】
本発明の実施形態によれば、液晶パネルの１ピクセル当りＭ×Ｎバリア領域をＬ個の明るさ段階で調節してＭ×Ｎ×Ｌマットリックス形態で制御するため、周辺の明るさ、消耗電力及び観察者の数に応じる適切な無眼鏡多視点３Ｄ映像の具現が可能になる。特に、観察者が多数である場合にも、１ピクセル当りＭ×Ｎ×Ｌマットリックス形態で制御するので、できるだけ各観察者に対して適切な３Ｄ映像を提供することができる。
【００３７】
また、本発明の実施形態によれば、液品パネルのピクセル当り各Ｍ×Ｎ個のバリア領域各々の明るさＬを調節することによって、両眼交差部分の目まいを最小化すると共に、特に液晶パネルの回転可否に係わらず３Ｄ立体映像をディスプレイすることができる。
【００３８】
次に、本発明の他の実施形態による立体映像表示装置について詳記する。前述の実施形態と重複する説明は省略することにする。
【００３９】
図２は、本発明の他の実施形態による立体映像表示装置を概略的に示すブロック図で、図３は、本発明の他の実施形態による立体映像表示装置を概略的に示すブロック図である。
【００４０】
図２を参照して、映像表示装置の一実施形態について詳記する。図２に示すように、一実施形態による映像表示装置は、映像パネル３０、バリアパネル１０及び制御部５０を含む。
【００４１】
映像パネル３０は、多数のピクセルを有して立体映像用イメージを表示する。一実施形態によれば、映像パネル３０は、多数の液品セルからなる。多数の液晶セルからなる映像パネル３０は、周知されているため、具体的な説明は略する事にする。
【００４２】
図２において、バリアパネル１０は、映像パネル３０の前面または背面に対応して配置される。また、バリアパネル１０は、映像パネル３０の各ピクセル当りＭ×Ｎ個のバリア領域を成すように形成されている。また、一実施形態によれば、バリアパネルは、行の数Ｍ及び列の数Ｎは各々１以上であり、各ピクセル当りＭ×Ｎ個のバリア領域が形成される。また、一実施形態によれば、行の数Ｍは１以上で、列の数Ｎは２以上である。一実施形態によれば、行の数Ｍより列の数Ｎが多い。
【００４３】
図２のバリアパネル１０では、各バリア領域別に明るさが調節される。例えば、Ｌ個の明るさ段階で明るさが調節される。この場合、各ピクセルのバリア領域をＭ×Ｎ×Ｌ方式で制御することができる。
【００４４】
また一実施形態によれば、バリアパネルは、制御部５０によってオン、オフ及びオンとオフとの間のうちの少なくとも一つの中間段階を有して制御され、バリア領域の明るさが少なくとも３段階以上で調節される。Ｍ×Ｎ×Ｌ方式の制御で、Ｌは３以上である。図２に示すように、バリア領域＃１、＃２、＃３が各々異なる明るさを現わす。バリア領域＃１は、バリアがオフされて映像パネル３０のイメージが観察者にも完全に表示される領域である。バリア領域＃３はバリアがオンされて映像パネル３０のイメージ表示を遮断する領域である。バリア領域＃２は、バリア領域＃１とバリア領域＃３との中間段階として、映像パネル３０のイメージをかすかに観察者に提供する領域である。
【００４５】
また図２に示すように、制御部５０は、映像パネル３０から立体映像が表示されるように各バリア領域別に明るさを制御する。例えば、一実施形態によれば、制御部５０でバリア領域を２ビットの制御信号で制御する場合、バリアのオンからオフまで４段階の明るさＬで調節することができる。図２において、バリアパネル１０は、２次元のＭ×Ｎマトリクスのオン／オフが行われる状態で、追加で各Ｍ×Ｎマトリクスの透過率を調節してＭ×Ｎ×Ｌマトリクスを制御することによって、映像が重なる部分の映像損失を最小化することができる。一つのバリア領域のドライバをＬビットの深みで制御する。この場合、液品パネルの１ピクセル３１当りＭ×Ｎ個のバリア領域が２×Ｌ個の明るさを有することになる。
【００４６】
本発明の実施形態によれば、映像パネル３０の１ピクセル３１当りバリア領域をＭ×Ｎ×Ｌマットリックス形態で制御するため、周辺の明るさ、消耗電力及び視聴者の数に応じて適切な無眼鏡多視点３Ｄ映像の具現が可能になる。Ｌは、明るさの段階を表す。
【００４７】
次に、図３を参照して、一実施形態による立体映像表示装置について詳記する。
【００４８】
図３に示すように、一実施形態による立体映像表示装置は、映像パネル３０、バリアパネル１０及び制御部５０に加えて、トラッキングシステム７０をさらに含む。
【００４９】
図３のトラッキングシステム７０は、観察者領域の映像を獲得し、該観察者の観察位置情報を算出する。
【００５０】
制御部５０は、観察者の観察位置に映像パネル３０の立体映像が露出するように、観察位置情報によってバリアパネル１０の各バリア領域の明るさを制御する。
【００５１】
また、図３に示すように、一実施形態によれば、トラッキングシステム７０は、カメラモジュール７１とトラッキング部７３とを含む。カメラモジュール７１は、観察者領域の映像を獲得する。トラッキング部７３は、映像を用いて観察位置情報として観察者の両眼の位置及び距離を算出する。例えば、観察者の両眼の位置を把握するためには、先にカメラで取り込まれた映像領域から眼面部位を抽出し、該部位に、例えば赤外線を放射して、両眼の位置をより正確に算出してもよい。トラッキングシステム７０での距離測定方式には、例えば、ＴＯＦ（Ｔｉｍｅ  Ｏｆ  Ｆｌｉｇｈｔ）方式が挙げられる。または、前面カメラでも距離測定ができる。例えば、ステレオカメラで先に両眼間の距離を認識させ、前面カメラで基準値に対して現在撮影された映像の大きさを計算することによって、距離を抽出してもよい。または、赤外線を用いる方式でも距離を測定してもよく、これに限定するものではない。赤外線を用いる場合には、発光された赤外線が被写体で反射する量に応じて、映像の領域別に電圧が変わることを用いて距離を測定してもよい。トラッキングシステム７０で事物の位置及び距離を算出することは周知である。
【００５２】
制御部５０は、両眼の位置及び距離の情報からバリアパネルの各バリア領域の明るさを制御するための制御値を獲得し、該制御値によって各バリア領域の明るさを制御する。一実施形態によれば、制御値は、ルックアップテーブルなどを用いて両眼の位置及び距離に応じる適切な値を算出することができる。または、プログラムされた算出式によって、両眼の位置及び距離に応じる制御値を算出してもよい。
【００５３】
図３に示すように、本実施形態において、液晶パネルの１ピクセル３１に対するＭ×Ｎ×Ｌ次元のバリア制御は、入力情報として液晶表示装置と観察者との距離及び角度情報が用いられる。カメラモジュール７１で得た映像を用いて、映像表示装置と観察者との間、詳しくは、観察者の両眼間の距離情報が分かることができ、また視点追跡を用いて視点の角度情報も分かることができる。一実施形態によれば、距離測定は、ＴＯＦ方式を利用してもよい。距離の測定は前面カメラで行われてもよい。例えば、ステレオカメラで、先に両眼間の距離を認識させ、前面カメラで基準値に対して現在撮影された映像の大きさを計算することによって、距離を抽出してもよい。図３に示すように、このような情報に基づいて、直接Ｉ２Ｃを用いてバリアの制御を行ってもよい。または、このような情報をＡＰ（Ａｐｐｌｉｃａｔｉｏｎ  Ｐｒｏｃｅｓｓｏｒ）に伝達し、該ＡＰが入力された３Ｄ映像と同期されたバリア制御情報をバリアパネルに伝達してもよい。ＡＰは、現在の３Ｄシステムにおいて３Ｄ映像の生成器、フォーマッタ、バリアＯｎ／Ｏｆｆ制御などを行う。例えば、携帯端末のディスプレイをＡＰが制御する場合、該ＡＰにバリア制御情報（例えば、位置情報、各サブピクセルのＯｎ／Ｏｆｆ情報、同期用タイミング情報など）を伝達し、該ＡＰが制御情報に応じて各々のバリアを制御してもよい。図３において、Ｉ２Ｃは、例えば、制御情報を伝達するための単純通信プロトコルであって、携帯端末において多用されるインターフェース（Ｉ／Ｆ）方法である。図３において、制御部５０は、自身が制御しなければならない情報をＩ２Ｃというプロトコルで伝送する。制御部５０は、入力された情報（例えば、距離、両眼の前面対比角度など）を総合して、ＬＣＤの何番目のサブバリアをオンまたはオフすべきであるかを決める。制御部５０からの出力情報は、ＬＣＤの大きさによって異なり、サブバリアの大きさ及び映像速度によって異なる。
【００５４】
本実施形態において、観察者の視点による左右映像のフィルタリングをバリアと連携して行われるため、映像の重なりや視点の移動による画面のフェードダウン現象を除去することによって、完全な無眼鏡多視点３Ｄ映像をディスプレイすることができる。
【００５５】
従来の固定バリア構成の場合、計算値に基づいて正確に指定されたピクセル上にバリアが位しなければならない。この場合、計算値は、観察者または視聴者がＬＣＤからどの位の距離、例えば携帯端末の場合、数ｃｍの距離だけ離れて、両眼間の距離は何ｃｍなのかによって決まるようになる。このような値が決まっても、バリアが計算された位置で３Ｄ視点が位置しない場合、３Ｄ映像が重なったように見えるため、結局、高価の装備を用いて整列するしかない。
【００５６】
しかし、本発明の一実施形態では、一つの液品パネルのピクセル、例えばＬＣＤピクセルを担当するバリアを細く分けて配置するため、正確な位置にバリアがないとしても、細く分けた分でバリアとピクセルとの間のオフセットを把握して、バリアの明るさを調節する。そのため、従来の固定バリアより性能が向上した３Ｄ効果を得ることができる。例えば、バリアの最初部分が、ＬＣＤピクセルｘ−ｙ座標で、ｘ軸の方に１／４ピクセル分隔てられたところで一番目のバリアが出たら、バリア制御情報のすべてを１／４ピクセルにあたる値分加えて、制御アルゴリズムを駆動させ、該値をＡＰやバリア制御部５０に伝達して制御してもよい。
【００５７】
次に、本発明の第３の実施形態による立体映像表示方法について詳記する。前述の実施形態と重複する説明は省略することにする。
【００５８】
図４は、本発明のさらに他の実施形態による立体映像表示方法を概略的に示す流れ図で、図５は、本発明の他の実施形態による立体映像表示方法を概略的に示す流れ図である。
【００５９】
図４に示すように、本発明の一実施形態による立体映像表示方法は、観察者の位置情報によって、多数ピクセルを有する映像パネル３０の各ピクセル当りＭ×Ｎ個のバリア領域が形成されるように、映像パネル３０に対応して配置されたバリアパネル１０の各バリア領域別に明るさを調節する。各バリア領域別に明るさを調節することによって、映像パネル３０から立体映像用イメージが表示されるようにできる。
【００６０】
詳しくは、図４及び図５に示すように、立体映像表示方法の一実施形態は、位置トラッキングステップ（Ｓ１００）及びバリア制御ステップ（Ｓ２００）を含む。
【００６１】
図４の位置トラッキングステップ（Ｓ１００）では、観察者領域の映像を獲得し、該観察者の観察位置情報を算出する。
【００６２】
図５に示すように、一実施形態によれば、位置トラッキングステップは、観察者領域の映像を獲得するステップ（Ｓ１１００）と、映像を用いて観察位置情報として観察者の両眼の位置及び距離を獲得するステップ（Ｓ１２００）とを備える。
【００６３】
本実施形態によれば、液品パネルの１ピクセル当りＭ×Ｎバリア領域をＬ個の明るさ段階で調節してＭ×Ｎ×Ｌマットリックス形態で制御するため、周辺の明るさ、消耗電力及び観察者の数に応じて適切な無眼鏡多視点３Ｄ映像の具現が可能になる。特に、観察者が多数である場合にも、１ピクセル当りＭ×Ｎ×Ｌマットリックス形態で制御するので、各観察者にできるだけ適切な３Ｄ映像を提供することができる。
【００６４】
続いて、図４に示すように、バリア制御ステップ（Ｓ２００）では、観察位置情報によって、映像パネル３０の前面または背面に対応して配置されたバリアパネル１０の各バリア領域別に明るさを調節して、観察者に映像パネル３０の立体映像が表示されるように制御する。
【００６５】
図５に示すように、一実施形態において、バリア制御ステップは、両眼の位置及び距離の情報からバリアパネルの各バリア領域の明るさを制御するための制御値を獲得するステップ（Ｓ２１００）と、該制御値によって両眼に映像パネル３０の立体映像用イメージが露出するように各バリア領域の明るさを制御するステップ（Ｓ２２００）とを含む。
【００６６】
また、一実施形態において、図４のバリア制御ステップ（Ｓ２００）にて、バリア領域の明るさは、オン、オフ及びオンとオフとの間のうちの少なくとも一つの中間段階を有して制御され、少なくとも３段階以上に調節される。
【００６７】
なお、本発明の他の実施形態によれば、バリアパネルは、行の数Ｍ及び列の数Ｎは各々１以上であり、各ピクセル当りＭ×Ｎ個のバリア領域が形成されている。一実施形態によれば、行の数Ｍは１以上で、列の数Ｎは２以上である。一実施形態によれば、行の数Ｍより列の数Ｎが多い。
【００６８】
今回開示された実施の形態はすべての点で例示であって制限的なものではないと考えられるべきである。本発明の範囲は、前記した実施の形態の説明ではなくて特許請求の範囲によって示され、特許請求の範囲と均等の意味及び範囲内でのすべての変更が含まれることが意図される。
【符号の説明】
【００６９】
１０  バリアパネル
３０  液晶パネル
５０  制御部
７０  トラッキングシステム
７１  カメラモジュール
７３  トラッキング部
【図１】
2013080224.tif 000003
【図２】
2013080224.tif 000004
【図３】
2013080224.tif 000005
【図４】
2013080224.tif 000006
【図５】
2013080224.tif 000007